(57)【要約】【課題】  入金信号を送信する信号線の本数を減らして、設備費用の削減や配線作業の負担軽減を可能とする。【解決手段】  遊技媒体貸出機２０の紙幣投入口２１に投入された紙幣の金種が、紙幣金種検出部２８で検出され、この検出結果が現金管理部３０へ送られる。現金管理部３０の入金信号生成部３０−２で、検出結果の示す金種を表した入金信が生成される。この際、入金信号の波形が金種を表すものとして生成される。この生成された入金信号が、信号線５０を介して台コントローラ６０へ送信される。【選択図】      図９
2005080810.tif 000002
【特許請求の範囲】
【請求項１】
少なくとも現金が投入されて遊技媒体を払い出す遊技媒体貸出機と、この遊技媒体貸出機から前記現金に関する信号を受信する入金管理装置と、前記遊技媒体貸出機と前記入金管理装置との間を接続して前記信号を送信する信号線とを有した遊技場システムであって、
前記遊技媒体貸出機は、
信号の波形によって前記現金の金種を示した入金信号を生成する入金信号生成部と、
前記入金信号を前記入金管理装置へ送信する送信部とを有し、
前記入金管理装置は、
前記入金信号を受信する受信部と、
前記入金信号にもとづいて前記現金の金種を判断する金種判断部とを有した
ことを特徴とする遊技場システム。
【請求項２】
前記信号の波形には、パルス波を含む
ことを特徴とする請求項１記載の遊技場システム。
【請求項３】
前記入金信号が、パルスの数により前記現金の金種を示し、一の現金の金種を示す一又は二以上のパルスと他の現金の金種を示す一又は二以上のパルスとの間に、所定時間以上の空白時間を有した
ことを特徴とする請求項１又は２記載の遊技場システム。
【請求項４】
前記入金信号を送信するための前記信号線が、一回線のみである
ことを特徴とする請求項１〜３のいずれかに記載の遊技場システム。
【請求項５】
現金が投入されて遊技媒体を払い出す遊技媒体貸出機であって、
信号の波形によって前記現金の金種を示した前記入金信号を生成する金種信号生成部と、
信号線を一回線のみ用いて、前記入金信号を前記入金管理装置へ送信する送信部とを有した
ことを特徴とする遊技媒体貸出機。
【発明の詳細な説明】
【技術分野】
【０００１】
本発明は、投入された現金の金額に応じた量、又は、入力キーにより指定された量の遊技媒体を貸し出す遊技媒体貸出機と、この遊技媒体貸出機を有した遊技場システムとに関し、特に、投入された現金の金額や金種を入金管理装置で管理する遊技場システム及び遊技媒体貸出機に関する。
【背景技術】
【０００２】
パチンコ機やスロットマシン等に代表される遊技台が複数設置された遊技ホールにおいては、パチンコ玉やメダルなどの遊技媒体を遊技者に貸し出すための遊技媒体貸出機が設置されている。
この遊技媒体貸出機は、遊技者により現金が投入（挿入・入金）されると、その投入金額に応じた量（又は、入力キーにより指定された量）の遊技媒体を払い出す装置である。この遊技媒体貸出機は、近年では、遊技台と遊技台との間にいわゆる台間機として設置されることが多い。
【０００３】
この遊技媒体貸出機（台間機）や複数の遊技台により構成される島には、遊技媒体貸出機で投入された紙幣や硬貨などの現金を島端ボックス内の島金庫へ搬送する搬送装置が設けられている。
そして、各島には、各遊技媒体貸出機（台間機）や各遊技台から所定のデータを収集する台コントローラや、この台コントローラからデータを受け取るとともに、データ通信を管理・制御する島コントローラなどが配置されている。
【０００４】
さらに、台コントローラから島コントローラを介して管理コンピュータへは、遊技媒体貸出機で入金された現金の金額が信号により伝えられている。
このため、管理コンピュータにおいては、遊技媒体貸出機で入金された現金の管理（入金管理）や、島端ボックス内の島金庫に収納されている現金の照合（現金照合）などが可能となっている。
【０００５】
それら台コントローラ、島コントローラ、管理コンピュータ等における入金管理を可能とした技術が種々提案されている。
例えば、遊技媒体貸出機が、入金された金額に相当する遊技媒体の払出し終了後、売上金額として、管理コンピュータへ、１パルスで１００円を示す入金信号を送信するものがある（例えば、特許文献１，２参照、第一の従来技術。）。
この従来技術において、例えば、入金金額が３００円の場合は、図１８（ａ）に示すように、３パルスの入金信号が送信され、また、１０００円の場合は、同図（ｂ）に示すように、１０パルスの入金信号が送信されていた。
【０００６】
さらに、その従来技術においては、５００円硬貨が投入されると、図１８（ｃ）に示すように、５パルスが発生するようになっていた。
これにより、入金信号を受信した管理コンピュータは、島ごとの遊技媒体貸出機の売上合計金額と、島金庫で計数された入金合計金額とを比較して現金照合を行なうことができる。
【０００７】
また、遊技媒体貸出機から管理コンピュータ（ホールコンピュータ）に対して送信される入金信号の信号線を各金種ごとにそれぞれ設けたものがある（例えば、特許文献３参照、第二の従来技術。）。
これによれば、管理コンピュータは、どの信号線から信号が送られてきたかを判断することによって金種を判別できる。
【特許文献１】実開平４−０１６７０１号公報（第１−６頁）
【特許文献２】実開平４−０１６７０３号公報（第１−１７頁）
【特許文献３】特開平８−０１０４３３号公報（第２−３頁、第２，１４，１６図）
【発明の開示】
【発明が解決しようとする課題】
【０００８】
しかしながら、第一の従来技術においては、入金信号が単に１パルスいくら（例えば、１パルスで１００円など）を表しているだけであったため、その入金信号から金額は把握できても、金種まで把握することができなかった。
このため、例えば、図１８（ｂ）の入金信号は１０パルスで１０００［円］を表しているが、１００円硬貨１０枚による１０００［円］なのか、５００円硬貨２枚による１０００［円］なのか、１０００円紙幣１枚による１０００［円］なのか、あるいは５００円硬貨１枚と１００円硬貨５枚とによる１０００［円］なのかを、その入金信号から把握することはできなかった。
【０００９】
また、同様に、図１８（ｃ）の入金信号は５パルスで５００［円］を表しているが、５００円硬貨１枚による５００［円］なのか、それとも１００円硬貨５枚による５００［円］なのかを、その入金信号から把握することはできなかった。
このため、台コントローラや管理コンピュータにおいては、遊技媒体貸出機に投入された現金の枚数を金種ごとに把握することができず、金種別の現金管理ができなかった。
【００１０】
これに対し、第二の従来技術においては、入金信号が送信される信号線が金種ごとに設けられていたため、入金管理装置は、どの信号線から信号が送られてきたかを判断することで、金種ごとの現金管理を行なうことができる。
ところが、この第二の従来技術では、信号線の本数が多くなり、設備費用がかさむ上、接続作業が複雑・煩雑となっていた。
【００１１】
しかも、遊技媒体貸出機で扱える金種は、従前は千円紙幣，五百円硬貨，百円硬貨の三種類だったのが、最近では一万円紙幣や五千円紙幣も対応可能となり、さらに二千円紙幣をも扱えるようになってきた。
このように金種が次第に増加しているため、信号線の回線数もその都度増やさなければならなくなってきており、図１９に示すように、近年では計六回線（一万円紙幣，五千円紙幣，二千円紙幣，千円紙幣，五百円硬貨，百円硬貨にそれぞれ対応する信号線）を設けなければならなかった。
【００１２】
そして、台コントローラや管理コンピュータにおいては、それら複数の信号線に対応したインタフェイスを備える必要があるため、その信号線との接続部分が大型化していた。
さらに、信号線は複数接続されているものの、遊技媒体貸出機があるタイミングで信号を送信するために用いる線はそれらのうち一回線のみであった。しかも、例えば、遊技媒体貸出機に投入される現金の多くが千円紙幣である場合、千円紙幣用信号線は多用されるものの、他の信号線はほとんど使用されない状況となっていた。このように、各信号線は、どの金種に割り当てられているかによって、使用頻度に大きなばらつきが生じており、非効率な使われ方をしていた。
【００１３】
本発明は、上記の事情にかんがみなされたものであり、信号線の本数を減らして設備費用の削減や配線作業の負担軽減を可能とするとともに、台コントローラ等における信号線との接続部分を小型化にでき、かつ、信号線の非効率な使用を回避しつつ金種別現金管理を可能とする遊技場システム及び遊技媒体貸出機の提供を目的とする。
【課題を解決するための手段】
【００１４】
この目的を達成するため、本発明の遊技場システムは、少なくとも現金が投入されて遊技媒体を払い出す遊技媒体貸出機と、この遊技媒体貸出機から現金に関する信号を受信する入金管理装置と、遊技媒体貸出機と入金管理装置との間を接続して信号を送信する信号線とを有した遊技場システムであって、遊技媒体貸出機は、信号の波形によって現金の金種を示した入金信号を生成する入金信号生成部と、入金信号を入金管理装置へ送信する送信部とを有し、入金管理装置は、入金信号を受信する受信部と、入金信号にもとづいて現金の金種を判断する金種判断部とを有した構成としてある。
【００１５】
遊技場システムをこのような構成とすると、遊技媒体貸出機から入金管理装置へ送信される入金信号自体が金種を示すものであるため、入金管理装置は、その入金信号にもとづいて、遊技媒体貸出機に投入された現金を金種ごとに管理できる。
そして、入金信号の波形が金種を示しているのであって、送信を行なった信号線により金種が特定されるわけではないため、信号線を金種ごとに複数設ける必要がなくなり、しかも、その信号線は一回線のみ備えればよいことになる。
【００１６】
このように、従来複数接続されていた信号線が一回線でよいこととなるため、信号線にかかる費用を削減できるとともに、配線作業の負担を軽減でき、しかも、台コントローラ等における信号線との接続部分の小型化が可能となる。
加えて、入金信号は、一回線だけ設けられた信号線により必ず送信されるため、信号線の非効率な使用を回避できる。
なお、本発明において入金管理装置には、遊技媒体貸出機から入金信号を受信する台コントローラ，島コントローラ，管理コンピュータなどが含まれる。
【００１７】
また、本発明の遊技場システムは、信号の波形には、パルス波を含む構成としてある。
遊技場システムをこのような構成とすれば、入金信号は、パルス波によって現金の金種を表すことができる。このため、遊技媒体貸出機は、備えられたパルス波発生装置などにより、金種を表した入金信号を容易に生成・送信できる。
そして、入金管理装置においても、そのパルス波の数を検出することで、容易に金種を認識できる。
【００１８】
また、本発明の遊技場システムは、入金信号が、パルスの数により現金の金種を示し、一の現金の金種を示す一又は二以上のパルスと他の現金の金種を示す一又は二以上のパルスとの間に、所定時間以上の空白時間を有した構成としてある。
【００１９】
遊技場システムをこのような構成とすれば、所定時間以上の空白時間を検出することで、どのパルスからどのパルスまでが一の金種を示すものかを把握できる。このため、所定時間以上の空白と次の空白との間にあるパルスの数をカウントすることで、そのパルス数により示された金種を知ることができる。
【００２０】
また、本発明の遊技場システムは、入金信号を送信するための信号線が、一回線のみである構成としてある。
遊技場システムをこのような構成とすれば、信号線が一回線であるため、金種ごとに信号線を設けることに比べて、信号線にかかる費用を削減できるとともに、配線作業の負担を軽減できる。
【００２１】
しかも、台コントローラ等における信号線との接続部分の小型化を図ることができる。
加えて、入金信号が一回線だけ設けられた信号線により必ず送信されるため、信号線の非効率な使用を回避できる。
【００２２】
また、本発明の遊技媒体貸出機は、現金が投入されて遊技媒体を払い出す遊技媒体貸出機であって、信号の波形によって現金の金種を示した入金信号を生成する金種信号生成部と、信号線を一回線のみ用いて、入金信号を入金管理装置へ送信する送信部とを有した構成としてある。
【００２３】
遊技媒体貸出機をこのような構成とすると、入金信号がパルス数により金種を特定するため、この入金信号を受信した装置（入金管理装置）においては、遊技媒体貸出機に投入された現金の金種を把握できる。このため、その入金管理装置においては、遊技媒体貸出機における入金の管理を金種ごとに行なうことができる。
さらに、一つの入金信号で様々な金種を示すことができるため、金種ごとに信号線を設ける必要がなくなる。このため、信号線にかかる費用を低減できるとともに、配線作業も簡易に行なうことができ、しかも、台コントローラ等の入金管理装置における信号線との接続部分の小型化を可能とする。
【発明の効果】
【００２４】
本発明によれば、遊技媒体貸出機から入金管理装置へ送信される入金信号の波形が、遊技媒体貸出機で投入された現金の金種を示すため、金種ごとに信号線を備える必要がなくなり、しかも、その信号線は一回線でよいこととなる。
このため、信号線にかかる費用を削減できるとともに、配線作業の負担を軽減でき、ひいては、入金管理装置における信号線との接続部分の小型化を図りつつ、入金管理装置での金種別現金管理を可能とする。
【発明を実施するための最良の形態】
【００２５】
以下、本発明に係る遊技場システム及び遊技媒体貸出機の好ましい実施形態について、図面を参照して説明する。
【００２６】
［実施形態］
まず、本発明の遊技場システムの実施形態について、図１を参照して説明する。
同図は、本実施形態の遊技場システムの構成を示すブロック図である。
同図に示すように、遊技場システム１は、遊技台１０ａ〜１０ｎと、遊技媒体貸出機２０ａ〜２０ｎと、信号線５０ａ〜５０ｎと、台コントローラ６０ａ〜６０ｎと、島コントローラ７０と、管理コンピュータ８０と、搬送手段９０と、島端ボックス１００とを有している。
【００２７】
ここで、遊技台１０ａ〜１０ｎ（以下、略して「遊技台１０」という。）は、メダル，玉，球などに代表される遊技媒体を用いて、所定のゲームを行なう遊技機である。
この遊技台１０には、例えば、スロットマシン，パチンコ機，アレンジボール，雀球機などが含まれる。
【００２８】
遊技媒体貸出機２０ａ〜２０ｎ（以下、略して「遊技媒体貸出機２０」という。）は、図２に示すように、紙幣投入口２１と、硬貨投入口２２と、入力部２３と、遊技媒体払出口２４と、カード挿入口２５とを有している。
紙幣投入口２１は、遊技者等が遊技媒体を借りるために紙幣を投入（挿入）する際の受入口である。
【００２９】
硬貨投入口２２は、遊技者等が遊技媒体を借りるために硬貨を投入（挿入）する際の受入口である。
入力部２３は、暗証番号の入力，遊技媒体の払出数の入力，カードの排出などを行なうためのキーである。
【００３０】
遊技媒体払出口２４は、遊技者に対して遊技媒体を払い出すための排出口である。なお、図２においては、遊技媒体払出口２４の形状がノズル型になっているが、ノズル型に限るものではなく、例えば、遊技媒体貸出機２０の前面下方に受け口を設け、この受け口に遊技媒体を払い出すようにすることもできる。
カード挿入口２５は、遊技者が保有するカード（例えば、プリペイドカード，会員カード，ビジターカードなど）を挿入するための受入口である。
【００３１】
また、遊技媒体貸出機２０は、図３に示すように、紙幣貯留部２６と、硬貨貯留部２７と、紙幣識別検出部２８と、硬貨識別検出部２９と、現金管理部３０と、入金信号送出部３１と、入力管理部３２と、遊技媒体払出管理部３３と、カード検出部３４と、カード管理部３５と、記憶部３６とを有している。
【００３２】
紙幣貯留部２６は、紙幣投入口２１に投入された紙幣をためておくための紙幣格納庫である。
硬貨貯留部２７は、硬貨投入口２２に投入された硬貨をためておくための硬貨格納庫である。
【００３３】
紙幣識別検出部２８は、紙幣投入口２１に投入された紙幣の金種を検出する。この検出結果は、現金管理部３０へ送られる。
硬貨識別検出部２９は、硬貨投入口２２に投入された硬貨の金種を検出する。この検出結果は、現金管理部３０へ送られる。
なお、本実施形態において、紙幣や硬貨の「識別」には、それら紙幣や硬貨の金種の識別と、それら紙幣や硬貨が使用可能なものか否か（投入された紙幣や硬貨が本物か贋物か）を判断する識別とが含まれる。
【００３４】
現金管理部３０は、図４に示すように、金種判断部３０−１と、入金信号生成部３０−２とを有している。
金種判断部３０−１は、紙幣識別検出部２８から検出結果を受け取ると、この検出結果の示す紙幣の金種を判断し、この判断結果を入金信号生成部３０−２へ送る。
また、金種判断部３０−１は、硬貨識別検出部２９から検出結果を受け取ると、この検出結果の示す硬貨の金種を判断し、この判断結果を入金信号生成部３０−２へ送る。
【００３５】
入金信号生成部３０−２は、金種判断部３０−１から送られてきた判断結果にもとづいて、この判断結果の示す紙幣又は硬貨の金種が示された信号を入金信号として生成し、入金信号送出部３１へ送る。
この入金信号生成部３０−２で生成される入金信号は、波形により紙幣又は硬貨の金種を示す。
この波形による金種の示し方については、後記の「入金信号における金種の示し方」で詳述する。
【００３６】
なお、入金信号をパルス波で出力する場合のパルス波生成のしくみとしては、例えば、有接点部品（スイッチやリレーなど）を用いるもの、無接点部品（半導体素子など）を用いるもの、光（レーザ光など）で形成するものなどがある。ただし、本実施形態においては、パルス波により金種を示すことができればよいため、いずれかのしくみに限定されない。
【００３７】
入金信号送出部（送信部）３１は、現金管理部３０の入金信号生成部３０−２から送られてきた入金信号を、信号線５０を介して台コントローラ６０ａ〜６０ｎへ送信する。
なお、本実施形態においては、入金信号送出部３１による入金信号の送信先を台コントローラ６０としているが、台コントローラ６０に限るものではなく、例えば、島コントローラ７０あるいは管理コンピュータ８０とすることもできる。
【００３８】
入力管理部３２は、入力部２３での入力操作の内容を判断し、その操作内容に応じた処理を所定の構成部に実行させる。
遊技媒体払出管理部３３は、紙幣投入口２１に投入された紙幣の額，硬貨投入口２２に投入された硬貨の額，入力部２３で遊技媒体に交換すべき金額として入力操作された額にもとづいて、それら額に応じた量の遊技媒体を計数し、遊技媒体払出口２４へ送って払い出す。
【００３９】
カード検出部３４は、カード挿入口２５に挿入されたカードを検出する。また、カード検出部３４は、検出したカードから、所定のデータ（カードデータ）を読み込んでカード管理部３５へ送る。
カード管理部３５は、カード検出部３４で読み込まれたカードデータを受け取って記憶部３６へ送り記憶させる。
なお、本実施形態においては、現金管理部３０，入力管理部３２，遊技媒体払出管理部３３，カード管理部３５を総称して「遊技媒体貸出機管理手段」という。
【００４０】
記憶部３６は、カード管理部３５から送られてきたカードデータを記憶する。
また、記憶部３６は、現金管理部３０で確認された現金の金種を記憶する。
さらに、記憶部３６は、入力部２３での入力操作の内容や、遊技媒体払出口２４から払い出された遊技媒体の数量などを記憶する。
【００４１】
なお、遊技媒体貸出機２０は、図５に示すように、発行前のカードが収納されているカード収納部３７と、遊技媒体貸出機２０の前面からカードを排出するカード発行口３８と、カード収納部３７から取り出したカードをカード発行口３８へ送り出すカード送出部３９と、カード発行指示を受けてカード送出部３９にカードの発行処理を実行させるカード発行管理部４０とを有することができる。
ここで、カード発行指示とは、入力部２３でカード発行の操作が行なわれたことにもとづいて、入力管理部３２がカード発行管理部４０に対してカード発行を指示するための信号をいう。
【００４２】
また、本実施形態の遊技媒体貸出機２０には、例えば、現金が投入されて遊技媒体を払い出すもの、投入された現金を挿入されたカードに課金し、この課金した額の全部又は一部を遊技媒体として貸し出すもの、カードの有する有価価値の全部又は一部を遊技媒体として貸し出すものなどが含まれる。
ただし、本発明は、入金信号が金種を示すことを特徴としているため、本実施形態の遊技媒体貸出機２０には、少なくとも現金が投入されて遊技媒体を払い出す機能を有した遊技媒体貸出機が含まれる。
【００４３】
信号線５０ａ〜５０ｎ（以下、略して「信号線５０」という。）は、遊技媒体貸出機２０から台コントローラ６０へ入金信号を送信する線であって、図６（ａ）に示すように、一本２線式の一回線で配線されている。
この信号線５０は、図１９に示すように、従来では、遊技媒体貸出機２０に投入される現金の金種ごとに設けられていた。このため、コストがかかるとともに、配線作業が複雑・煩雑となり、しかも、台コントローラ６０における信号線の接続部分が大型化していた。
そこで、入金信号の波形によって金種を示すことにより、この入金信号を送信するための線を一回線のみ設ければよいこととなった。このため、従来のように複数の信号線を配線する必要がなくなることから、コストを削減できるとともに、配線作業を簡素化でき、しかも、台コントローラ６０における信号線の接続部分を小型化できる。
【００４４】
さらに、従来、金種ごとに信号線が配線されていたときは、遊技媒体貸出機で投入された現金の金種により、信号線の使用頻度にバラツキがあった。
例えば、遊技媒体貸出機に投入される現金の殆どが千円紙幣である場合、千円紙幣用信号線には入金信号が入金されるたびに送られているが、他の金種が割り当てられた信号線は、殆ど使用されなかった。このように、金種ごとに信号線を設ける場合は、その使用が非効率となっていた。
これに対し、本実施形態では、信号線が一回線のみであるため、必ずこの一回線の信号線で入金信号が送信されることになる。このため、その信号線を効率的に高い使用頻度で使用できる。つまり、投資金額に対する使用頻度を非常に高めることができる。
【００４５】
なお、本実施形態においては、図６（ａ）に示すように、信号線５０を一本２線式で一回線として配線することとしているが、一本２線式に限るものではなく、例えば、一本１線式とすることもできる。
ただし、一本１線式とする場合は、図６（ｂ）に示すように、遊技媒体貸出機２０と台コントローラ６０との間にアース線を設け、遊技媒体貸出機２０から台コントローラ６０へ入金信号を送信する送信線とアース線とで一回線とすることもできる。
【００４６】
また、遊技媒体貸出機２０から台コントローラ６０（あるいは、島コントローラ７０又は管理コンピュータ８０）へは、入金信号の他に売上信号（売上金額を示す信号）も送信される。
この売上信号は、通常、パルス波で形成されるが、入金信号を送信するための信号線とは別の線で送信されており、かつ、売上信号自体が金種を示すことはないため、ここでは、その説明を省略する。
【００４７】
台コントローラ６０は、図７に示すように、信号線５０を介して遊技媒体貸出機２０から入金信号を受信するインタフェイス（受信部）６１と、このインタフェイス６１から受け取った入金信号にもとづいて現金の金種を判断する金種判断部６２と、判断された金種を示す信号を生成する信号生成部６３と、この信号生成部６３で生成された信号を島コントローラ７０へ送信する送信部６４とを有している。
【００４８】
インタフェイス６１は、図８（ａ）に示すように、一回線分の信号線５０と接続されている。
従来、台コントローラ６０のインタフェイス６１は、金種別に設けられた複数の信号線と接続されていた。このため、図８（ｂ）に示すように、この接続部分が大型化していた。
これに対し、本実施形態における台コントローラ６０のインタフェイス６１は、一回線分の信号線５０のみと接続すればよいため、この接続部分を小型化でき、コストダウンを図ることもでき、台コントローラ６０の小型化も可能となる。
【００４９】
金種判断部６２は、インタフェイス６１から受け取った入金信号にもとづいて金種を判断する。
この金種の判断は、次のように行なうことができる。
入金信号が、図９に示すように、１０パルスを出力後、所定時間以上の空白時間が設けられ、続いて、次のパルスが出力されている場合、金種判断部６２は、所定時間以上の空白時間が発生するまでのパルス数をカウントし、このカウントしたパルス数にもとづいて金種を判断する。
【００５０】
入金信号の１パルスが示す金額は予め定められており、この金額にパルス数を乗じた値が金種となる。
例えば、１パルスが１００［円］を示すものと定められており、１０パルスがカウントされたとすると、１００［円］×１０［パルス］＝１０００［円］との計算により、金種は千円紙幣であると判断できる。
なお、本実施形態においては、金種を示す一又は二以上のパルス（二以上の場合はパルス群）を金種表示パルスというものとする。
【００５１】
さらに、金種判断部６２は、入金信号にもとづいて、金種だけでなく、入金金額を判断することもできる。
例えば、千円紙幣を示す金種表示パルスが三回受信されると、１０００［円］×３［回］＝３０００［円］との計算により、入金金額が３０００［円］であると判断できる。
【００５２】
なお、本実施形態においては、入金信号にもとづく金種の判断を台コントローラ６０で行なうこととしているが、台コントローラ６０に限るものではなく、例えば、島コントローラ７０や管理コンピュータ８０で行なうこともできる。
この場合、島コントローラ７０や管理コンピュータ８０は、入金信号（あるいは、信号波形により金種を表す信号）を受信する機能や、入金信号（あるいは、信号波形により金種を表す信号）にもとづいて金種を判断する機能を有している。
このことから、本実施形態においては、台コントローラ６０，島コントローラ７０，管理コンピュータ８０を総称して「入金管理装置」というものとする。
【００５３】
島コントローラ７０は、台コントローラ６０から送信されてきた入金信号を受信すると、この入金信号を管理コンピュータ８０へ送信する。
また、島コントローラ７０は、島金庫１２０の収納信号送信部（図示せず）から送信されてきた収納信号（金種ごとに振り分けられた現金の枚数を金種ごとに表した信号）を受信すると、この収納信号を管理コンピュータ８０へ送信する。
【００５４】
この島コントローラ７０には、所定のカードを発行する発券機や、会員カードの残高を精算する精算機、さらには課金機などを接続することができる。なお、これら発券機，精算機，課金機は、図示していない。
また、島コントローラ７０は、出金信号を送出する機能も有することができる。
【００５５】
管理コンピュータ８０は、島コントローラ７０から送信されてきた入金信号にもとづく売上合計金額と、島端ボックス１００の島金庫１２０（後述）から送信されてきた収納信号にもとづく入金合計金額とを比較して、島金庫１２０に収納されている金種毎の現金の管理を行なう。
【００５６】
搬送手段９０は、遊技媒体貸出機２０の紙幣貯留部２６や硬貨貯留部２７から紙幣や硬貨を回収して、島端ボックス１００の現金搬送制御部１１０へ搬送する。
この搬送手段９０が紙幣を回収する構成は、特開平５−６２０５４号公報「紙幣回収装置」に記載の技術により実現可能である。
【００５７】
なお、遊技媒体貸出機２０で投入された紙幣や硬貨を島金庫１２０へ送る手法としては、例えば、搬送手段９０が紙幣貯留部２６や硬貨貯留部２７から紙幣や硬貨を回収する手法の他、遊技媒体貸出機２０が排出した現金を直接島端ボックス１００へ搬送する手法などがある。
【００５８】
島端ボックス１００は、現金搬送制御部１１０と、島金庫１２０とを有している。
現金搬送制御部１１０は、搬送手段９０により搬送されてきた現金（あるいは、遊技媒体貸出機２０から直接送出されてきた現金）を受け取り、島金庫１２０へ送る。
【００５９】
島金庫１２０は、現金搬送制御部１１０から送られてきた現金の金種の識別を行なう。そして、各現金を、各金種ごとに設けられた収納部へそれぞれ振り分けて収納する。
また、島金庫１２０は、各収納部に収納された現金の枚数をカウントし、このカウント値を収納信号（金種ごとに振り分けられた現金の枚数を金種ごとに表した信号）として島コントローラ７０へ送信する。
なお、本実施形態においては、搬送手段９０と島ボックス１００とを総称して「搬送装置」という。
【００６０】
次に、入金信号における金種の示し方について、図９〜図１５を参照して説明する。
入金信号は、パルスの数や形状等により、金種を表すことができる。
特に、入金信号は、例えば、パスルの数、パルス幅の長いパルス（長パルス）とパルス幅の短いパルス（短パルス）との組み合わせ、ハイレベルのパルス（Ｈパルス）とローレベルのパルス（Ｌパルス）との組み合わせなどにより、金種を表すことができる。
【００６１】
まず、パスルの数により金種を示した入金信号について、図９を参照して説明する。
同図は、パスルの数により金種を示した入金信号を示す図である。
入金信号は、遊技媒体貸出機２０における現金管理部３０の入金信号生成部３０−２で生成され、信号線５０を介して、台コントローラ６０へ送られる。
この入金信号は、遊技媒体貸出機２０の紙幣識別検出部２８で検出され金種判断部３０−１で判断・確定された金種を、波形として示している。
【００６２】
本実施形態において、入金信号の波形とは、その入金信号として送出される信号の振幅，幅，位相などが瞬間瞬間変化する様子を示したグラフの形状をいう。
入金信号の波形には、パルス波，正弦波，半波整流波，鋸歯状波，三角波などが含まれる。
これら波形の振幅，幅，位相等は、任意に設定可能であるが、台コントローラ６０などにおいて、その波形から金種を認識できる必要がある。
【００６３】
入金信号は、例えば、パスル波の出力数で金種を示すことができる。
例えば、図９に示すように、１パルスで１００［円］を表すこととすると、千円紙幣は、１０パルスで示すことができる。
このように、金種を示すパルスを、本実施形態では「金種表示パルス」という。
【００６４】
金種表示パルスと金種表示パルスとの間は、所定時間以上の空白時間が設けられている。この空白時間を設けることにより、入金信号は、金種とともに金額（売上）も示すことができる。
例えば、図１０に示すように、第一の金種表示パルスとして１０パルス発生しており、次いで、所定時間以上の空白時間が設けられており、続いて、第二の金種表示パルスが５パルス発生していたものとする。
この場合、第一の金種表示パルスからは「千円紙幣」という金種を知得でき、第二の金種表示パルスからは「五百円硬貨」という金種を知得できる。そして、これら第一及び第二の金種表示パルスから、入金金額（売上）は１，５００［円］であることがわかる。
【００６５】
空白時間として認識するための所定時間は、任意に設定可能である。ただし、金種表示パルスを構成する各パルスの間の時間よりも長い時間に設定することが望ましい。
例えば、金種表示パルスの各パルスの幅が０．１［ｍｓ］であり、それらパルス間も０．１［ｍｓ］で設定されている場合、空白時間として認識するための所定時間は、０．１［ｍｓ］を超える時間、例えば、０．２［ｍｓ］などとするとよい。
【００６６】
金種表示パルスは、１パルスを１００［円］とした場合、各金種を次のパスル数で表示することができる。
百円硬貨    ・・・    １パルス
五百円硬貨  ・・・    ５パルス
千円紙幣    ・・・  １０パルス
二千円紙幣  ・・・  ２０パルス
五千円紙幣  ・・・  ５０パルス
一万円紙幣  ・・・１００パルス（図１１）
【００６７】
次に、パルス幅の長いパルス（長パルス）とパルス幅の短いパルス（短パルス）との組み合わせで金種を示した入金信号について、図１２〜図１３を参照して説明する。
入金信号は、長パルスと短パルスとの組み合わせで金種を示すことができる。
このような入金信号は、次の方法により生成することができる。
【００６８】
まず、各金種のコーディングを行なう。このコーディングは、図１２に示すように、金種ごとに行なわれ、二進数で表すことができる。なお、現状、金種は六種類存在するため、３桁の二進数で表すことができる。
具体的には、例えば、同図に示すように、百円硬貨は「０００」、五百円硬貨は「００１」、千円紙幣は「０１０」、二千円紙幣は「０１１」、五千円紙幣は「１００」、一万円紙幣は「１０１」として表すことができる。
【００６９】
次いで、各コードの各桁をそれぞれ長パルス又は短パルスで表す。例えば、「１」は長パルス、「０」は短パルスで表すことができる。
具体的には、同図に示すように、百円硬貨は「０００」→「短」−「短」−「短」（「短」は短パルス）、五百円硬貨を「００１」→「短」−「短」−「長」（「長」は長パルス）、千円紙幣を「０１０」→「短」−「長」−「短」、二千円紙幣を「０１１」→「短」−「長」−「長」、五千円紙幣を「１００」→「長」−「短」−「短」、一万円紙幣を「１０１」→「長」−「短」−「長」として表すことができる。
【００７０】
このように各金種をコード化し、各コードの各桁を長パルス又は短パルスに対応させることで、図１３に示すように、長パルスと短パルスとの組み合わせにより金種を表した入金信号を生成できる。
なお、長パルスのパルス幅は、図１３においては、短パルスのパルス幅の二倍としているが、短パルスのパルス幅の二倍に限るものではなく、短パルスと長パルスとの区別がつくのであれば、三倍以上であってもよい。
【００７１】
次に、ハイレベルのパルス（Ｈパルス）とローレベルのパルス（Ｌパルス）との組み合わせで金種を示した入金信号について、図１４〜図１５を参照して説明する。
入金信号は、ＨパルスとＬパルスとの組み合わせで金種を示すことができる。
このような入金信号は、次の方法により生成することができる。
【００７２】
まず、各金種のコーディングを行なう。このコーディングは、図１４に示すように、金種ごとに行なわれ、二進数で表すことができる。なお、現状、金種は六種類存在するため、３桁の二進数で表すことができる。
具体的には、例えば、同図に示すように、百円硬貨は「０００」、五百円硬貨は「００１」、千円紙幣は「０１０」、二千円紙幣は「０１１」、五千円紙幣は「１００」、一万円紙幣は「１０１」として表すことができる。
【００７３】
次いで、各コードの各桁をそれぞれＨパルス又はＬパルスで表す。例えば、「１」はＨパルス、「０」はＬパルスで表すことができる。
具体的には、同図に示すように、百円硬貨は「０００」→「Ｌ」−「Ｌ」−「Ｌ」（「Ｌ」はＬパルス）、五百円硬貨を「００１」→「Ｌ」−「Ｌ」−「Ｈ」（「Ｈ」はＨパルス）、千円紙幣を「０１０」→「Ｌ」−「Ｈ」−「Ｌ」、二千円紙幣を「０１１」→「Ｌ」−「Ｈ」−「Ｈ」、五千円紙幣を「１００」→「Ｈ」−「Ｌ」−「Ｌ」、一万円紙幣を「１０１」→「Ｈ」−「Ｌ」−「Ｈ」として表すことができる。
このように各金種をコード化し、各コードの各桁をＨパルス又はＬパルスに対応させることで、図１５に示すように、ＨパルスとＬパルスとの組み合わせにより金種を表した入金信号を生成できる。
【００７４】
そして、生成された入金信号がＨパルスであるか、あるいはＬパルスであるかを読み取るために、スタートパルスやストローブを用いることができる。
入金信号の送信に際し、まずスタートパルスが出力される。これにより、パルス読取ストローブ（ｓ）が生成される。このパルス読取ストローブの出力タイミングにしたがって、入金信号がＨパルスかＬパルスかが読み取られる。
なお、長パルスと短パルスとの組み合わせによる入金信号、あるいは、ＨパルスとＬパルスとの組み合わせによる入金信号においては、各パルス群の間隔は、通常の信号パルスの間隔によって判別できる長さとするとよい。
【００７５】
次に、入金信号の生成、送信の動作について、図１６を参照して説明する。
同図は、遊技媒体貸出機２０で紙幣が投入され、入金信号が台コントローラ６０に到達するまでの流れを示す動作手順図である。
なお、ここでは、遊技媒体貸出機２０の紙幣投入口２１に紙幣が投入された場合について、説明する。ただし、硬貨についても、同様の処理が行なわれる。
【００７６】
遊技媒体貸出機２０の紙幣投入口２１に紙幣が投入されると、この紙幣が投入されたことが紙幣識別検出部２８で検知され（ステップ１０）、さらに、紙幣識別検出部２８でその紙幣の金種が検出される（ステップ１１）。
この紙幣識別検出部２８で金種が検出された紙幣は、その後、島金庫１２０へ送られる。
【００７７】
紙幣識別検出部２８で検出された金種の情報（検出結果）が現金管理部３０へ送られる。
現金管理部３０の金種判断部３０−１において、紙幣識別検出部２８からの検出結果が受け取られ、この検出結果の示す紙幣の金種が判断される。そして、この判断結果が入金信号生成部３０−２へ送られる。
【００７８】
入金信号生成部３０−２において、金種判断部３０−１から送られてきた判断結果にもとづいて、この判断結果の示す紙幣又は硬貨の金種が示された信号が入金信号として生成され（ステップ１２）、入金信号送出部３１へ送られる。
【００７９】
入金信号送出部３１において、現金管理部３０の入金信号生成部３０−２から送られてきた入金信号が、信号線５０を介して台コントローラ６０へ送信される（ステップ１３）。
台コントローラ６０において、入金信号が受信され、金種が認識される（ステップ１４、ステップ１５）。
【００８０】
以上、本発明の遊技場システム及び遊技媒体貸出機の好ましい実施形態について説明したが、本発明に係る遊技場システム及び遊技媒体貸出機は上述した実施形態にのみ限定されるものではなく、本発明の範囲で種々の変更実施が可能であることは言うまでもない。
【００８１】
例えば、上述した実施形態では、信号線を一回線のみ用いて入金信号を送信することとしているが、信号線一回線のみに限定されるものではなく、例えば、図１７に示すように、信号線は二回線とし、そのうち一回線は紙幣用、他の一回線は硬貨用として、それぞれ入金信号を送信することもできる。
このようにすれば、紙幣用は１パルス１０００［円］の入金信号を、硬貨用は１パルス１００［円］の入金信号をそれぞれ送信できるため、特に紙幣用の信号線でパスル数の減少を図ることができる。
【００８２】
また、信号波形により金種を表した入金信号は、島コントローラあるいは管理コンピュータなどが現金管理を行なう際に用いることができる。
特に、島コントローラあるいは管理コンピュータなどが、入金信号から求めた入金金種及び枚数と、島金庫の各金種別スタッカ（金種が判別できた現金を収納するスタッカ）に収納されている現金の各収納枚数とにより、混在スタッカ（金種が判別できなかった現金を収納するスタッカ）に収納されている現金の枚数や金種を推定して、総金額を確定する場合に、その入金金種及び枚数を求めるための入金信号として、信号波形により金種を表した入金信号を用いることができる。
【００８３】
さらに、信号波形により金種を表した入金信号は、島コントローラあるいは現金搬送制御部などが、搬送装置におけるトラブルの発生を検出する際に用いることができる。
例えば、島コントローラあるいは現金搬送制御部などが、入金タイミングを入金信号の受信により特定し、搬送時間を設定して、スタッカの収納枚数から搬送トラブルを検出して報知する場合に、その入金タイミングを特定するための入金信号として、信号波形により金種を表した入金信号を用いることができる。
【産業上の利用可能性】
【００８４】
本発明は、信号の波形（例えば、パルス数）により金種を表した信号を送受信することで、この信号を受信した装置での金種管理を可能としていることから、現金の集計・管理を行なっている装置やシステムに利用可能である。
【図面の簡単な説明】
【００８５】
【図１】本発明の遊技場システムの構成を示すブロック図である。
【図２】本発明の遊技媒体貸出機の正面構成を示す正面構成図である。
【図３】本発明の遊技媒体貸出機の内部構成を示すブロック図である。
【図４】遊技媒体貸出機の現金管理部の構成を示すブロック図である。
【図５】本発明の遊技媒体貸出機における他の内部構成を示す模式図である。
【図６】遊技媒体貸出機と台コントローラとを接続する信号線を示す図であって、（ａ）は、一本２線式により一回線の信号線を構成している場合、（ｂ）は、一本１線式の送信線とアース線とにより一回線の信号線を構成している場合をそれぞれ示す図である。
【図７】台コントローラの内部構成を示すブロック図である。
【図８】台コントローラにおいて信号線を接続する部分の構成を示す模式図である。
【図９】千円紙幣の金種表示パルスを示す波形図である。
【図１０】千円紙幣と五百円硬貨との金種表示パルスを示す波形図である。
【図１１】一万円紙幣の金種表示パルスを示す波形図である。
【図１２】入金信号の構成例（パルス幅の長いパルス（長パルス）とパルス幅の短いパルス（短パルス）との組み合わせにより金種が表示された例）を示す図表である。
【図１３】図１２に示す構成例で表された入金信号の形状を示す波形図である。
【図１４】入金信号の構成例（ハイレベルのパルス（Ｈパルス）とローレベルのパルス（Ｌパルス）との組み合わせにより金種が表示された例）を示す図表である。
【図１５】図１４に示す構成例で表された入金信号の形状を示す波形図である。
【図１６】遊技媒体貸出機に紙幣が投入されてから台コントローラで入金信号が受信され金種が認識されるまでの処理の流れを示す動作手順図である。
【図１７】紙幣用信号線で一回線、硬貨用信号線で一回線を設けた場合の構成を示すブロック図である。
【図１８】従来の入金信号を示す波形図である。
【図１９】従来の信号線を示す図である。
【符号の説明】
【００８６】
１  遊技場システム
１０ａ〜１０ｎ  遊技台
２０ａ〜２０ｎ  遊技媒体貸出機
２１  紙幣投入口
２２  硬貨投入口
２３  入力部
２４  遊技媒体払出口
２５  カード挿入口
２６  紙幣貯留部
２７  硬貨貯留部
２８  紙幣識別検出部
２９  硬貨識別検出部
３０  現金管理部
３０−１  金種判断部
３０−２  入金信号生成部
３１  入金信号送出部
３２  入力管理部
３３  遊技媒体払出管理部
３４  カード検出部
３５  カード管理部
３６  記憶部
５０ａ〜５０ｎ  信号線
６０ａ〜６０ｎ  台コントローラ
７０  島コントローラ
８０  管理コントローラ
９０  搬送手段
１００  島端ボックス
１１０  現金搬送制御部
１２０  島金庫
【図１】
2005080810.tif 000003
【図２】
2005080810.tif 000004
【図３】
2005080810.tif 000005
【図４】
2005080810.tif 000006
【図５】
2005080810.tif 000007
【図６】
2005080810.tif 000008
【図７】
2005080810.tif 000009
【図８】
2005080810.tif 000010
【図９】
2005080810.tif 000011
【図１０】
2005080810.tif 000012
【図１１】
2005080810.tif 000013
【図１２】
2005080810.tif 000014
【図１３】
2005080810.tif 000015
【図１４】
2005080810.tif 000016
【図１５】
2005080810.tif 000017
【図１６】
2005080810.tif 000018
【図１７】
2005080810.tif 000019
【図１８】
2005080810.tif 000020
【図１９】
2005080810.tif 000021